(57)【特許請求の範囲】
【請求項１】
一対の軌道輪（１、１）の対向面に設けた軌道溝（１ａ、１ａ）間に、複数のボール（２）を弾性を有する樹脂製保持器（３）に保持し、この樹脂製保持器（３）を、環状板部に前記ボール（２）を収容する複数のポケット（４）をスラスト方向に沿った縦方向の片側に引き抜く金型で形成し、これらのポケット（４）の縦断面を両端の口辺部（５ａ、５ｂ）が狭まる中凹形状とするように前記金型で成形したスラスト玉軸受において、
前記樹脂製保持器（３）のポケット縦断面の中凹形状の中心を当該ポケット縦断面の中心から縦方向の前記金型を引き抜く方向と反対側へずらしたことを特徴とするスラスト玉軸受。
【請求項２】
一対の軌道輪（１、１）の対向面に設けた軌道溝（１ａ、１ａ）間に、複数のボール（２）を弾性を有する樹脂製保持器（３）に保持し、この樹脂製保持器（３）を、環状板部に前記ボール（２）を収容する複数のポケット（４）をスラスト方向に沿った縦方向の片側に引き抜く金型で形成し、これらのポケット（４）の縦断面を両端の口辺部（５ａ、５ｂ）が狭まる中凹形状とするように前記金型で成形したスラスト玉軸受の製造方法において、
前記樹脂製保持器（３）のポケット縦断面の中凹形状を、縦方向の前記金型を引き抜く方向と反対側の当該樹脂製保持器（３）の端面と前記軌道輪（１）とが非接触になるように前記ボール（２）の口辺部（５ｂ）からの突出量を規定した形状に前記金型で成形し、この中凹形状の中心を前記ポケット縦断面の中心から縦方向の前記金型を引き抜く方向と反対側へずらしたことにより、前記成形した金型が引き抜かれる側の口辺部（５ａ）の口径が当該金型の引き抜きで拡がって当該金型を引き抜く方向と反対側の口辺部（５ｂ）からの前記ボール（２）の突出量が前記規定した突出量から少なくなっても前記樹脂製保持器（３）の端面と前記軌道輪（１）とが接触しないようにしたことを特徴とするスラスト玉軸受の製造方法。
【発明の詳細な説明】
【技術分野】
【０００１】
本発明は、保持器を環状板部にボールを収容する複数のポケットを設けた弾性を有する樹脂製保持器とし、各ポケットの縦断面を両端の口辺部が狭まる中凹形状とするように金型で成形したスラスト玉軸受に関する。
【背景技術】
【０００２】
一対の軌道輪の対向面に設けた軌道溝間に複数のボールを保持器で保持したスラスト玉軸受には、保持器を環状板部にボールを収容する複数のポケットを設けた弾性を有する樹脂製保持器とし、各ポケットの縦断面を両端の口辺部が狭まる中凹形状とするように金型で成形して、金型の離型と、各ポケットへのボールの組み込みを可能としたものがある（例えば、特許文献１参照）。
【０００３】
【特許文献１】実公平７−２９２９９号公報（第１−７図）
【発明の開示】
【発明が解決しようとする課題】
【０００４】
特許文献１に記載されたスラスト玉軸受のように、保持器を環状板部にボールを収容する複数のポケットを設けた弾性を有する樹脂製保持器とし、各ポケットの縦断面を両端の口辺部が狭まる中凹形状とするように金型で成形したものでは、縦断面を中凹形状に成形した金型を離型の際にポケットから引き抜くときに、金型が引き抜かれる側のポケットの口辺部にダレが生じて口径が拡がることがある。
【０００５】
このため、図４に示すように、ポケット４に保持されたボール２が、金型を引き抜くときのダレ６によって口径の拡がった口辺部５ａ側へ移動しやすくなり、その反対側の口辺部５ｂからのボール２の突出量が少なくなって、口辺部５ｂ側の保持器３の端面が軌道輪１と接触する問題がある。このように保持器３の端面が軌道輪１と接触すると、保持器３が摩耗するとともに、摩擦トルクが増大する。
【０００６】
そこで、本発明の課題は、弾性を有する樹脂製の保持器で、金型が引き抜かれるポケットの口辺部にダレが生じて口径が拡がっても、保持器の端面が軌道輪と接触しないようにすることである。
【課題を解決するための手段】
【０００７】
上記の課題を解決するために、本発明は、一対の軌道輪の対向面に設けた軌道溝間に、複数のボールを弾性を有する樹脂製保持器に保持し、この樹脂製保持器を、環状板部に前記ボールを収容する複数のポケットを形成し、これらのポケットの縦断面を両端の口辺部が狭まる中凹形状とするように金型で成形したスラスト玉軸受において、前記樹脂製保持器のポケット縦断面の中凹形状の中心を縦断面の中心から片側へずらし、この中凹形状の中心をずらした側と反対側の口辺部から前記成形した金型を引き抜くようにした構成を採用した。
【０００８】
すなわち、樹脂製保持器のポケット縦断面の中凹形状の中心を縦断面の中心から片側へずらし、この中凹形状の中心をずらした側と反対側の口辺部から成形した金型を引き抜くことにより、金型が引き抜かれるポケットの口辺部にダレが生じて口径が拡がり、ポケットに保持されたボールがこの口径の拡がった口辺部側へ移動しても、中凹形状の中心をずらした側の口辺部からのボールの突出量を十分確保できるようにし、保持器の端面が軌道輪と接触しないようにした。
【発明の効果】
【０００９】
本発明のスラスト玉軸受は、樹脂製保持器のポケット縦断面の中凹形状の中心を縦断面の中心から片側へずらし、この中凹形状の中心をずらした側と反対側の口辺部から成形した金型を引き抜くことにより、金型が引き抜かれるポケットの口辺部にダレが生じて口径が拡がり、ポケットに保持されたボールがこの口径の拡がった口辺部側へ移動しても、中凹形状の中心をずらした側の口辺部からのボールの突出量を十分確保できるようにしたので、保持器の端面と軌道輪の接触を防止して、保持器の摩耗や摩擦トルクの増大を防止することができる。
【発明を実施するための最良の形態】
【００１０】
以下、図面に基づき、本発明の実施形態を説明する。このスラスト玉軸受は、図１に示すように、一対の軌道輪１の対向面に設けた軌道溝１ａ間に、複数のボール２を弾性を有する樹脂製保持器３に保持したものである。
【００１１】
図２（ａ）、（ｂ）に示すように、前記保持器３は、環状板部にボール２を収容する複数のポケット４を形成し、各ポケット４の縦断面を両端の口辺部５ａ、５ｂが狭まる中凹形状とするように金型で成形したものであり、ポケット縦断面の中凹形状の中心Ｐが縦断面の中心Ｏから口辺部５ｂ側へずらされ、これと反対側の口辺部５ａが成形した金型を引き抜いたときに生じたダレ６によって口径が拡がっている。中凹形状の中心Ｐと縦断面の中心Ｏとのずれ量δは、保持器３の幅Ｗの１／２０〜１／１０に設定され、金型を取り出す側の口辺部５ａの周りには、生じたダレ６が保持器３の端面から突出しないように凹段差７が設けられている。
【００１２】
したがって、図３に示すように、前記ポケット４に収納されたボール２がダレ６によって口径の拡がった口辺部５ａ側へ移動しても、中凹形状の中心Ｐをずらした側の口辺部５ｂからのボール２の突出量が十分確保され、保持器３の端面と軌道輪１との接触が防止される。
【００１３】
上述した実施形態では、保持器をポケットの口狭まりの口辺部がポケット全周に連なるものとしたが、切欠き等によって口辺部に不連続部を設けてもよい。
【図面の簡単な説明】
【００１４】
【図１】スラスト玉軸受の実施形態を示す縦断面図
【図２】ａは図１の保持器を示す平面図、ｂはａのIIb−IIb線に沿った断面図
【図３】図１の保持器ポケット内でのボールの動きを説明する断面図
【図４】従来のスラスト玉軸受における保持器ポケット内でのボールの動きを説明する断面図
【符号の説明】
【００１５】
１  軌道輪
１ａ  軌道溝
２  ボール
３  保持器
４  ポケット
５ａ、５ｂ  口辺部
６  ダレ
７  凹段差
【図１】
0004536632.tif 000002
【図２】
0004536632.tif 000003
【図３】
0004536632.tif 000004
【図４】
0004536632.tif 000005